(57)【要約】【課題】  ナフタレンテトラカルボン酸ジイミド系高分子及びそれを含む電子写真感光体，電子写真カートリッジ，電子写真ドラム及び電子写真画像形成装置を提供する。【解決手段】  下記化学式１を含んで，2005023322.tif 000027化学式１で，Ｒ１は水素原子，ハロゲン原子，炭素数１〜２０の置換または非置換のアルキル基，炭素数１〜２０の置換または非置換のアルコキシ基，炭素数６〜３０の置換または非置換のアリール基，または炭素数７〜３０のアルアルキル基であり，Ｒ２は炭素数１〜２０の置換または非置換のアルキレン基，炭素数１〜２０の置換または非置換のオキシアルキレン基，炭素数６〜３０の置換または非置換のアリレン基，または炭素数７〜３０のアルアルキレン基であり，この時，置換基はハロゲン基，アルキル基，ハロゲン化アルキル基，オキシアルキル基またはアリール基であり，ｎは３〜２００の整数，望ましくは５〜５０の整数を表す。【選択図】    図１
2005023322.tif 000002
【特許請求の範囲】
【請求項１】
下記化学式１と表示されるナフタレンテトラカルボン酸ジイミド系高分子：
【化１】
2005023322.tif 000015
前記化学式１でＲ１は水素原子，ハロゲン原子，炭素数１〜２０の置換または非置換のアルキル基，炭素数１〜２０の置換または非置換のアルコキシ基，炭素数６〜３０の置換または非置換のアリール基，または炭素数７〜３０のアルアルキル基であり，  
Ｒ２は炭素数１〜２０の置換または非置換のアルキレン基，炭素数１〜２０の置換または非置換のオキシアルキレン基，炭素数６〜３０の置換または非置換のアリレン基，または炭素数７〜３０のアルアルキレン基であり，
ｎは３〜２００の整数を表す。
【請求項２】
導電性支持体，感光層及び前記導電性支持体と前記感光層間に形成されたアンダーコートを含む電子写真感光体であって，前記アンダーコード層が下記化学式１による高分子を含むことを特徴とする感光体：
【化２】
2005023322.tif 000016
前記化学式１でＲ１は水素原子，ハロゲン原子，炭素数１〜２０の置換または非置換のアルキル基，炭素数１〜２０の置換または非置換のアルコキシ基，炭素数６〜３０の置換または非置換のアリール基，または炭素数７〜３０のアルアルキル基であり，
Ｒ２は炭素数１〜２０の置換または非置換のアルキレン基，炭素数１〜２０の置換または非置換のオキシアルキレン基，炭素数６〜３０の置換または非置換のアリレン基，または炭素数７〜３０のアルアルキレン基であり，
ｎは３〜２００の整数を表す。
【請求項３】
前記感光層が単層型または積層型であることを特徴とする請求項２に記載の感光体。
【請求項４】
複数の支持ローラと，
前記支持ローラの運動が電子写真感光体の運動を起こすように前記支持ローラと作動可能に結合された電子写真感光体とを含む電子写真画像形成装置であって，前記電子写真感光体は導電性支持体，感光層及び前記導電性支持体と前記感光層間に形成されたアンダーコード層を含み，前記アンダーコード層は下記化学式１の高分子を含むことを特徴とする電子写真画像形成装置：
【化３】
2005023322.tif 000017
前記化学式でＲ１は水素原子，ハロゲン原子，炭素数１〜２０の置換または非置換のアルキル基，炭素数１〜２０の置換または非置換のアルコキシ基，炭素数６〜３０の置換または非置換のアリール基，または炭素数７〜３０のアルアルキル基であり，
Ｒ２は炭素数１〜２０の置換または非置換のアルキレン基，炭素数１〜２０の置換または非置換のオキシアルキレン基，炭素数６〜３０の置換または非置換のアリレン基，または炭素数７〜３０のアルアルキレン基であり，
ｎは３〜２００の整数を表す。
【請求項５】
前記感光層が単層型または積層型であることを特徴とする請求項４に記載の電子写真画像形成装置。
【請求項６】
導電性支持体，感光層及び前記導電性支持体と前記感光層間に形成されたアンダーコード層を含み，前記アンダーコード層は下記化学式１の高分子を含むことを特徴とする電子写真感光体と，
前記電子写真感光体を帯電させる帯電装置，前記電子写真感光体上に形成された静電気的潜像を現像する現像装置，及び前記電子写真感光体の表面をクリーニングするクリーニング装置のうち少なくとも何れか１つを含み，
画像形成装置に着脱自在であることを特徴とする電子写真カートリッジ：
【化４】
2005023322.tif 000018
前記化学式１でＲ１は水素原子，ハロゲン原子，炭素数１〜２０の置換または非置換のアルキル基，炭素数１〜２０の置換または非置換のアルコキシ基，炭素数６〜３０の置換または非置換のアリール基，または炭素数７〜３０のアルアルキル基であり，
Ｒ２は炭素数１〜２０の置換または非置換のアルキレン基，炭素数１〜２０の置換または非置換のオキシアルキレン基，炭素数６〜３０の置換または非置換のアリレン基，または炭素数７〜３０のアルアルキレン基であり，
ｎは３〜２００の整数を表す。
【請求項７】
前記感光層が単層型または積層型であることを特徴とする，請求項６に記載の電子写真画像形成装置。
【請求項８】
画像形成装置に着脱自在のドラムと，
前記ドラム上に配置された電子写真感光体を含む電子写真ドラムであって，
前記電子写真感光体は導電性支持体，感光層及び前記導電性支持体と前記感光層間に形成されたアンダーコード層を含み，前記アンダーコード層は下記化学式１の高分子を含むことを特徴とする電子写真ドラム：
【化５】
2005023322.tif 000019
前記化学式１でＲ１は水素原子，ハロゲン原子，炭素数１〜２０の置換または非置換のアルキル基，炭素数１〜２０の置換または非置換のアルコキシ基，炭素数６〜３０の置換または非置換のアリール基，または炭素数７〜３０のアルアルキル基であり，
Ｒ２は炭素数１〜２０の置換または非置換のアルキレン基，炭素数１〜２０の置換または非置換のオキシアルキレン基，炭素数６〜３０の置換または非置換のアリレン基，または炭素数７〜３０のアルアルキレン基であり，
ｎは３〜２００の整数を表す。
【請求項９】
前記感光層が単層型または積層型であることを特徴とする，請求項８に記載の電子写真画像形成装置。
【請求項１０】
導電性支持体，感光層及び前記導電性支持体と前記感光層間に形成されたアンダーコード層を含み，前記アンダーコード層は下記化学式１の高分子化合物を含むことを特徴とする，感光体ユニットと，
前記感光体ユニットを帯電させる帯電装置と，
前記感光体ユニット上に静電気的潜像を形成するために前記帯電された感光体ユニットを画像化された光で照射する画像化光照射装置と，
前記感光体ユニット上にトナー画像を形成するために前記静電気的潜像をトナーで現像する現像ユニットと，
受容体上に前記トナー画像を転写する転写装置と，を含む画像形成装置：
【化６】
2005023322.tif 000020
前記化学式１でＲ１は水素原子，ハロゲン原子，炭素数１〜２０の置換または非置換のアルキル基，炭素数１〜２０の置換または非置換のアルコキシ基，炭素数６〜３０の置換または非置換のアリール基，または炭素数７〜３０のアルアルキル基であり，
Ｒ２は炭素数１〜２０の置換または非置換のアルキレン基，炭素数１〜２０の置換または非置換のオキシアルキレン基，炭素数６〜３０の置換または非置換のアリレン基，または炭素数７〜３０のアルアルキレン基であり，
ｎは３〜２００の整数を表す。
【請求項１１】
前記感光層が単層型または積層型であることを特徴とする，請求項１０に記載の電子写真画像形成装置。
【請求項１２】
前記高分子が下記化学式２の化合物を含むことを特徴とする，請求項１に記載のナフタレンテトラカルボン酸ジイミド系高分子：
【化７】
2005023322.tif 000021
前記化学式２でｎは３〜２００の整数である。
【請求項１３】
前記アンダーコード層が下記化学式２の化合物を含むことを特徴とする，請求項２に記載の電子写真感光体：
【化８】
2005023322.tif 000022
前記化学式２でｎは３〜２００の整数である。
【請求項１４】
前記アンダーコード層が下記化学式２の化合物を含むことを特徴とする，請求項４に記載の電子写真画像形成装置：
【化９】
2005023322.tif 000023
前記化学式２でｎは３〜２００の整数である。
【請求項１５】
前記アンダーコード層が下記化学式の化合物を含むことを特徴とする，請求項６に記載の電子写真カートリッジ：
【化１０】
2005023322.tif 000024
前記化学式２でｎは３〜２００の整数である。
【請求項１６】
前記アンダーコード層が下記化学式の化合物を含むことを特徴とする，請求項８に記載の電子写真ドラム：
【化１１】
2005023322.tif 000025
前記化学式２でｎは３〜２００の整数である。
【請求項１７】
前記アンダーコード層が下記化学式の化合物を含むことを特徴とする，請求項１０に記載の電子写真画像形成装置：
【化１２】
2005023322.tif 000026
前記化学式２でｎは３〜２００の整数である。
【請求項１８】
前記アンダーコード層の厚さが１〜５μｍであることを特徴とする，請求項２に記載の電子写真感光体。
【請求項１９】
前記アンダーコード層の厚さが１〜５μｍであることを特徴とする，請求項４に記載の電子写真画像形成装置。
【請求項２０】
前記アンダーコード層の厚さが１〜５μｍであることを特徴とする，請求項６に記の電子写真カートリッジ。
【請求項２１】
前記アンダーコード層の厚さが１〜５μｍであることを特徴とする，請求項８に記載の電子写真ドラム。
【請求項２２】
前記アンダーコード層の厚さが１〜５μｍであることを特徴とする，請求項１０に記載の電子写真画像形成装置。
【請求項２３】
前記積層型感光層が電荷発生物質及び結合剤樹脂を含むことを特徴とする，請求項３に記載の電子写真感光体。
【請求項２４】
前記電荷発生物質がフタロシアニン系顔料，アゾ系顔料，キノン系顔料，ペリレン系顔料，インジゴ系顔料，ビスベンゾイミダゾール系顔料，キナクリドン系顔料，アズレニウム系染料，スクアリリウム系染料，ペリリウム系染料，トリアリールメタン系染料，シアニン系染料，非結晶性シリコン，非結晶性セレン，三方晶セレン，テルル，セレン−テルル合金，硫化カドミウム，硫化アンチモン及び硫化亜鉛のうち少なくとも１つを含むことを特徴とする，請求項２３に記載の電子写真感光体。
【請求項２５】
前記結合剤樹脂がポリカーボネート，ポリエステル，メタクリル樹脂，アクリル樹脂，ポリ塩化ビニル，ポリ塩化ビニリデン，ポリスチレン，ポリビニルアセテート，シリコン樹脂，シリコン−アルキド樹脂，スチレン−アルキド樹脂，ポリ−Ｎ−ビニルカルバゾール，フェノキシ樹脂，エポキシ樹脂，ポリビニルブチラル，ポリビニルアセタル，ポリビニルホルマル，ポリスルホン，ポリビニルアルコール，エチルセルロース，フェノール樹脂，ポリアミド，カルボキシ−メチルセルロース，およびポリウレタンのうち少なくとも１つを含むことを特徴とする，請求項２３に記載の電子写真感光体。
【請求項２６】
前記積層型感光層が添加剤をさらに含むことを特徴とする，請求項２３に記載の電子写真感光体。
【請求項２７】
前記添加剤が酸化防止剤，分散剤，接着補助剤，および増減剤のうち少なくとも１つを含むことを特徴とする，請求項２６に記載の電子写真感光体。
【請求項２８】
前記積層型感光層は別途に形成された後，積層される電荷発生層と電荷輸送層とを含み，前記電荷輸送層が正孔輸送物質と電子輸送物質とのうち少なくとも１つを含むことを特徴とする，請求項３に記載の電子写真感光体。
【請求項２９】
前記単層型感光層が電荷発生物質と電荷輸送物質とが組合わせられたことを含むことを特徴とする，請求項３に記載の電子写真感光体。
【請求項３０】
前記電荷輸送物質が正孔輸送物質と電子輸送物質とのうち少なくとも１つを含むことを特徴とする，請求項２９に記載の電子写真感光体。
【請求項３１】
前記正孔輸送物質が含窒素環式化合物及び縮合多環式化合物のうち少なくとも１つを含むことを特徴とする，請求項３０に記載の電子写真感光体。
【請求項３２】
前記電子輸送物質がベンゾキノン系化合物，シアノエチレン系化合物，シアノキノジメタン系化合物，フルオレノン系化合物，キサントン系化合物，フェナントラキノン系化合物，無水フタル酸系化合物，チオピラン系化合物，ジフェノキノン系化合物，電子輸送性高分子化合物，およびｎ−型半導体特性を有する顔料のうち少なくとも１つを含むことを特徴とする，請求項３０に記載の電子写真感光体。
【発明の詳細な説明】
【技術分野】
【０００１】
本発明はナフタレンテトラカルボン酸ジイミド系高分子，それを含む電子写真感光体，それを含む電子写真カートリッジ，電子写真ドラム及び電子写真画像形成装置に係り，詳細には，ナフタレンテトラカルボン酸ジイミド構造の反復単位を有する高分子，それをアンダーコード層として含む電子写真感光体，それを含む電子写真カートリッジ，電子写真ドラム及び電子写真画像形成装置に関する。
【背景技術】
【０００２】
電子写真感光体は電子写真方式のファックス，コピー機，レーザープリンタ，ＣＲＴプリンタ，ＬＥＤプリンタ，液晶プリンタ及びレーザー電子写真分野に使われ，導電性支持体上に電荷発生物質，電荷輸送物質，結合剤樹脂などを含む感光層を具備する。感光層としては，電荷発生物質と電荷輸送物質とが１つの層に含まれた単層型と，電荷発生物質を含む電荷発生層と電荷輸送物質とを含む電荷輸送層が積層されている積層型とがある。このうち機能分離型の積層型が主に使われる。
【０００３】
しかしながら，導電性支持体上に感光層のみを設置すれば，導電性支持体表面の欠陥，すなわち傷，腐食，不純物などの表面欠陥が画像にそのまま反映され，これはボイドのような画像欠陥の原因になる場合が多い。また，導電性支持体と感光層との接着性が悪いために感光層に少しだけ傷が生じても全体が剥かれてしまう場合がある。のみならず，導電性支持体からの正孔流入によって露光電位が上昇する原因になることもある。これを防止するために導電性支持体と感光層間にアンダーコード層が設置される。
【０００４】
アンダーコード層としては，主に絶縁性有機高分子がサブミクロン厚さの薄膜形態に設置されるが，感光体の感度低下を起こす多大な欠点を有している。また，前記アンダーコード層と感光層との界面に空間電荷が蓄積され，残留電位の上昇，初基電位の低下など感光体疲労の原因にもなる。
【０００５】
これを防止するために多様な方法が提案されてきた。すなわち，アンダーコード層に導電性無機充填剤を分散させる方法，イオン伝導性高分子を利用する方法または電荷輸送性化合物または低分子量の添加剤を含ませる方法などである。
【０００６】
無機充填剤としては，酸化チタンや酸化錫が使われるが，これをアンダーコード層の塗料中に分散させるために分散液の調製やポットライフに技術的な困難を伴う。また，分散不均一による画像欠陥も起きる。
【０００７】
イオン伝導性高分子としては，例えば可溶性ポリアミド，セルロースなどの水，アルコール可溶性の高分子が使われるが，導電率が低いために問題点を解消するのには足りない。
【０００８】
従来に使われている低分子量の添加剤としては下記化学式３及び化学式４の化合物がある。
【化１】
2005023322.tif 000003
【化２】
2005023322.tif 000004
【０００９】
また，下記化学式５の低分子量電荷輸送物質を高分子樹脂に分散及び添加してアンダーコード層として使用した例がある。
【化３】
2005023322.tif 000005
【００１０】
最近，特許文献１の場合のように下記化学式のジフェノキノン構造を有する高分子樹脂を直接アンダーコード層として使用した場合がある。
【化４】
2005023322.tif 000006
【００１１】
【特許文献１】米国特許第６２２８５４６号明細書
【発明の開示】
【発明が解決しようとする課題】
【００１２】
しかしながら，上記のように低分子量の添加剤や電荷輸送物質を高分子樹脂に添加して使用する場合には使われる高分子樹脂との適合性問題のために樹脂と添加剤間の最適組合せを探し難くく，また添加剤や電荷輸送物質の添加量を増やせば，結晶化が起きるか，高分子樹脂との相分離が起き，添加量を減少させる場合には十分な性能が発揮できなくなる問題点がある。なお，アンダーコード層と電荷発生層及び電荷輸送層とのコーティング性能の低下により電子写真感光体の製造においてコーティング溶液の選定に多大な困難がある。
【００１３】
イオン伝導性高分子，例えば可溶性ポリアミド，セルロースなどの水，アルコール可溶性高分子をアンダーコード層として使用する場合に周辺湿度により高分子が影響されやすい短所がある。
【００１４】
本発明の目的はアンダーコード層として使用する時に導電性支持体からの正孔の流入を抑制して画像欠陥を最小化し，露光電位の上昇が抑制でき，また湿度に影響されない高分子を提供することである。
【００１５】
本発明の他の目的は，画像欠陥を最小化し，露光電位の上昇が抑制できる高分子を含む電子写真感光体を提供することである。
【００１６】
本発明のさらに他の目的は，画像欠陥を最小化し，露光電位の上昇が抑制できる高分子を含む電子写真カートリッジを提供することである。
【００１７】
本発明のさらに他の目的は，画像欠陥を最小化し，露光電位の上昇が抑制できる高分子を含む電子写真ドラムを提供することである。
【００１８】
本発明のさらに他の目的は，画像欠陥を最小化し，露光電位の上昇が抑制できる高分子を含む電子写真画像形成装置を提供することである。
【課題を解決するための手段】
【００１９】
上記課題を解決するため，本発明の第１の観点によれば，前記目的を達成するために本発明の第１態様では下記化学式１のナフタレンテトラカルボン酸ジイミド系高分子を提供する：
【化５】
2005023322.tif 000007
前記化学式１で，Ｒ１は水素原子，ハロゲン原子，炭素数１〜２０の置換または非置換のアルキル基，炭素数１〜２０の置換または非置換のアルコキシ基，炭素数６〜３０の置換または非置換のアリール基，または炭素数７〜３０のアルアルキル基であり，Ｒ２は炭素数１〜２０の置換または非置換のアルキレン基，炭素数１〜２０の置換または非置換のオキシアルキレン基，炭素数６〜３０の置換または非置換のアリレン基，または炭素数７〜３０のアルアルキレン基であり，ここで，置換基はハロゲン基，アルキル基，ハロゲン化アルキル基，オキシアルキル基またはアリール基であり，ｎは３〜２００の整数，望ましくは５〜５０の整数を表す。
【００２０】
本発明の第２態様では導電性支持体，感光層及び前記導電性支持体と前記感光層間に形成されたアンダーコード層を含む電子写真感光体において，前記アンダーコード層が前記化学式１の高分子を含むことを特徴とする電子写真感光体を提供する。
【００２１】
本発明の第３態様では複数の支持ローラと，前記支持ローラの運動が電子写真感光体の運動を起こすように前記支持ローラと作動可能に結合された電子写真感光体を含む電子写真画像形成装置であって，前記電子写真感光体は導電性支持体，感光層及び前記導電性支持体と前記感光層間に形成されたアンダーコード層を含み，前記アンダーコード層は前記化学式１の高分子を含むことを特徴とする電子写真画像形成装置を提供する。
【００２２】
本発明の第４態様では導電性支持体，感光層及び前記導電性支持体と前記感光層間に形成されたアンダーコード層を含み，前記アンダーコード層は前記化学式１の高分子を含むことを特徴とする電子写真感光体と，前記電子写真感光体を帯電させる帯電装置，前記電子写真感光体上に形成された静電気的潜像を現像する現像装置，及び前記電子写真感光体の表面をクリーニングするクリーニング装置のうち少なくとも何れか１つを含み，画像形成装置に着脱自在であることを特徴とする電子写真カートリッジを提供する。
【００２３】
本発明の第５態様では画像形成装置に着脱自在のドラムと，前記ドラム上に配置された電子写真感光体とを含む電子写真ドラムであって，
前記電子写真感光体は導電性支持体，感光層及び前記導電性支持体と前記感光層間に形成されたアンダーコード層を含み，前記アンダーコード層は前記化学式１の高分子を含むことを特徴とする電子写真ドラムを提供する。
【００２４】
本発明の第６態様では導電性支持体，感光層及び前記導電性支持体と前記感光層間に形成されたアンダーコード層を含み，前記アンダーコード層は前記化学式１の高分子を含むことを特徴とする感光体ユニット，前記感光体ユニットを帯電させる帯電装置，前記感光体ユニット上に静電気的潜像を形成するために前記帯電された感光体ユニットを画像化された光で照射する画像化光照射装置，前記感光体ユニット上にトナー画像を形成するために前記静電気的潜像をトナーで現像する現像ユニットと，受容体上に前記トナー画像を転写する転写装置と，を含む画像形成装置を提供する。
【発明の効果】
【００２５】
以上説明したように，本発明によれば，本発明によるナフタレンテトラカルボン酸ジイミド系高分子を含むアンダーコード層を具備した電子写真感光体は，アンダーコード層が導電性支持体からの正孔流入を抑制して画像欠陥を最小化し，露光電位の上昇を抑制することによって電気的特性が改善できる。
【発明を実施するための最良の形態】
【００２６】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
以下，本発明の電子写真感光体及び電子写真画像形成装置等について詳細に説明する。
本発明による高分子は下記化学式１の構造を有する：
【化６】
2005023322.tif 000008
【００２７】
前記化学式１でＲ１は水素原子，ハロゲン原子，炭素数１〜２０，望ましくは炭素数１〜１２の置換または非置換のアルキル基，炭素数１〜２０の置換または非置換のアルコキシ基，炭素数６〜３０の置換または非置換のアリール基，または炭素数７〜３０のアルアルキル基であり，Ｒ２は炭素数１〜２０，望ましくは炭素数１〜１２の置換または非置換のアルキレン基，炭素数１〜２０の置換または非置換のオキシアルキレン基，炭素数６〜３０の置換または非置換のアリレン基，または炭素数７〜３０のアルアルキレン基であり，ここで，置換基はハロゲン基，アルキル基，ハロゲン化アルキル基，オキシアルキル基またはアリール基であり，ｎは３〜２００の整数，望ましくは５〜５０の整数を表す。
【００２８】
本発明の一具現例で前記化学式１の高分子化合物は下記化学式２と表示される高分子化合物である。
【化７】
2005023322.tif 000009
【００２９】
本発明による前記化学式１の高分子は下記化学式７のナフタレンテトラカルボン酸無水物と下記化学式７のジアミン化合物とを反応させて製造できる。
【化８】
2005023322.tif 000010
【化９】
2005023322.tif 000011
【００３０】
反応条件はジメチルホルムアミド，ジメチルアセトアミド，ジメチルスルホキシドなどの非プロトン性極性溶媒に前記化学式７及び化学式８の化合物を入れて還流させた後，前記反応液にピリジン／アセト酸無水物１：２溶液を添加して常温で１時間，７０℃で３時間反応させた後，冷却してメタノールなどのアルコール系溶媒に沈殿させる。
【００３１】
前記化学式でＲ１及びＲ２は化学式１で定義したものと同一である。
【００３２】
次いで，化学式１の高分子化合物をアンダーコード層に含む本発明による電子写真感光体について説明する。
【００３３】
本発明による前記感光体は導電性支持体上に化学式１の高分子を含むアンダーコード層及び感光層を順に積層して製造される。
【００３４】
導電性支持体としては，アルミニウム，ニッケルなどの金属，金属蒸着高分子フィルム，金属ラミネート高分子フィルムなどが利用でき，ドラム状，シート状またはベルト状の形態に導電性支持体が形成できる。
【００３５】
前記アンダーコード層は化学式１の高分子化合物を溶媒に溶解させた後，それを導電性支持体上に塗布して薄膜形態に形成される。
【００３６】
溶媒は，例えばベンゼン，トルエン，キシレン，クロロベンゼンなどの芳香族系溶媒と，ジクロロメタン，ジクロロエタン，クロロホルム，トリクロロエタン，テトラクロロエタン，四塩化炭素などのハロゲン化溶媒と，メチルアセテート，エチルアセテート，プロピルアセテート，ギ酸メチル，ギ酸エチルなどのエステル系溶媒と，テトラヒドロフランなどのエーテル系溶媒と，メタノール，エタノール，イソプロピルアルコールなどのアルコール系溶媒と，ジメチルホルムアミド，ジメチルアセトアミド，ジメチルスルホキシドなどの非プロトン性極性溶媒と，が利用できる。このうちエーテル系溶媒，ハロゲン化溶媒またはこれらの混合溶媒が望ましい。
【００３７】
アンダーコード層の形成方法は，例えばディップコーティング，バーコーティング，カレンダーコーティング，グラビアコーティング，スピンコーティング，電着コーティング，スプレーコーティングが挙げられるが，特別に限定されるものではない。
【００３８】
前記アンダーコード層の厚さは１〜５μｍ，望ましくは１〜２μｍである。厚さが１μｍ未満である場合は伝導性支持体からの電子流入を抑制し難く，５μｍを超過する場合には露光電位が上昇して電気的特性が悪化する恐れがある。
【００３９】
次いで，前記アンダーコード層上に感光層が形成される。本発明による電子写真感光体を構成する感光層は単層型であるか積層型でありうる。前記感光層が積層型である場合には電荷発生層と電荷輸送層とが別途に構成されて積層され，前記電荷輸送層は正孔輸送物質及び電子輸送物質を単独でまたは共に含みうる。
【００４０】
前記感光層が単層型である場合には感光層内に電荷発生物質と正孔輸送物質及び／または電子輸送物質を含む。以下では積層型を中心として説明する。
【００４１】
電荷発生層は電荷発生物質，結合剤樹脂及び必要に応じて添加剤を含み，塗布法などの方法で製造できる。電荷発生物質は特別に制限されず，照射される特定波長の光を吸収し，効率的に電荷を発生するものであれば，有機材料，無機材料の何れも適合に使用できる。
【００４２】
感光層に使われる電荷発生物質としては，例えばフタロシアニン系顔料，アゾ系顔料，キノン系顔料，ペリレン系顔料，インジゴ系顔料，ビスベンゾイミダゾール系顔料，キナクリドン系顔料，アズレニウム系染料，スクアリリウム系染料，ピリリウム系染料，トリアリールメタン系染料，シアニン系染料などの有機材料か，非結晶性シリコン，非結晶性セレン，三方晶セレン，テルル，セレン−テルル合金，硫化カドミウム，硫化アンチモン，硫化亜鉛などの無機材料が挙げられる。感光層に使われる電荷発生物質は前記物質に限定されるものではなく，また，これらを単独に使用することも可能であるが，２種以上を混合して使用することも可能である。
【００４３】
前記電荷発生物質と共に使われる結合剤樹脂としては，電気絶縁性の高分子重合体が望ましく，例えばポリカーボネート，ポリエステル，メタクリル樹脂，アクリル樹脂，ポリ塩化ビニル，ポリ塩化ビニリデン，ポリスチレン，ポリビニルアセテート，シリコン樹脂，シリコン−アルキド樹脂，スチレン−アルキド樹脂，ポリ−Ｎ−ビニルカルバゾール，フェノキシ樹脂，エポキシ樹脂，ポリビニルブチラル，ポリビニルアセタル，ポリビニルホルマル，ポリスルホン，ポリビニルアルコール，エチルセルロース，フェノール樹脂，ポリアミド，カルボキシ−メチルセルロース，ポリウレタンなどが挙げられるが，これらに限定されるものではない。これら高分子重合体は単独で使われる場合もあれば，２種以上を混合して使用する場合もある。
【００４４】
必要に応じて使われる添加剤としては，酸化防止剤，分散剤，接着補助剤，増減剤などが挙げられる。
【００４５】
前記積層型感光層の電荷発生層上には電荷輸送層が形成されるが，層構成を逆転させて電荷輸送層上に電荷発生層を設置した構成とすることも可能である。
【００４６】
電荷輸送層は電荷輸送物質，結合剤樹脂及び必要に応じて添加剤を含む溶液を電荷発生層上に塗布，乾燥させて製造できる。使われる溶媒としては，電荷輸送物質によって結合剤樹脂が溶解され，電荷発生層が溶解されない溶媒であれば，特別に限定される必要はない。使われる電荷輸送物質としては特別に制限されず，通常使われる電荷輸送物質が使われうる。例えば，ヒドラゾン化合物，スチルベン化合物，トリアリールアミン化合物，ピラゾリン化合物，オキサジアゾール化合物，オキサゾール化合物，ポリビニルカルバゾール化合物，トリフェニルメタン化合物などが挙げられる。
【００４７】
前記単層型感光体の場合には前記電荷発生物質，結合剤樹脂及び電荷輸送物質などが溶解または分散された溶液または分散液を塗布することによって感光層が得られる。電荷輸送物質としては正孔輸送物質と電子輸送物質とがあるが，特に，単層型感光体の場合には電子輸送物質を併用することが望ましい。
【００４８】
正孔輸送物質としては，例えば，ピレン系，カルバゾール系，ヒドラゾン系，オキサゾール系，オキサジアゾール系，ピラゾリン系，アリールアミン系，アリールメタン系，ベンジジン系，チアゾール系，スチリル系などの含窒素環式化合物や縮合多環式化合物が挙げられる。また，これらの置換基を主鎖あるいは側鎖に有する高分子化合物やポリシラン系化合物を使用することも可能である。
【００４９】
電子輸送物質としては，例えばベンゾキノン系，シアノエチレン系，シアノキノジメタン系，フルオレノン系，キサントン系，フェナントラキノン系，無水フタル酸系，チオピラン系，ジフェノキノン系などの電子吸引性低分子化合物が挙げられるが，これらに限定されず，電子輸送性高分子化合物やｎ型半導体特性を有する顔料などであっても良い。
【００５０】
本発明の電子写真感光体に使用できる電荷輸送物質または正孔輸送物質は例として挙げたものに制限されず，その使用においては単独あるいは２種以上を混合して使用できる。
【００５１】
前記感光層の厚さは積層型，単層型に関係なく通常５μｍ〜５０μｍの範囲内に設定される。
【実施例】
【００５２】
以下，実施例を通じて本発明をさらに詳細に説明する。下記実施例は例示するためのものであり，本発明を限定するためのものではない。
調製例：化合物１の調製
【化１０】
2005023322.tif 000012
【００５３】
下記化学式９の４，４’−（ヘキサフルオロイソプロピリデン）ジアニリン  ３４ｇ（０．１ｍｏｌ）と１，４，５，８−ナフタレンテトラカルボン酸無水物  ２６ｇ（０．１ｍｏｌ）とを３００ｍｌ  ＤＭＦで２時間還流させた。常温に冷ました後，前記反応液にピリジン／アセト酸無水物１：２溶液１００ｍｌを添加して常温で１時間，７０℃で３時間反応させた後，２０００ｍｌのメタノールに沈殿させた。沈殿物を濾過して濾し出し，これをさらにメタノールに再沈殿させて反復精製して化学式６と表示される化合物１３５ｇ（約６０％収率）を得た。
【化１１】
2005023322.tif 000013
【００５４】
（実施例１）
前記調製例で製造した化合物１０．５ｇを溶媒（ＴＨＦ，９．５ｇ）に溶解させ，濾過（ポアサイズ＝５μｍ）した後，リングコーティング装置でアルミニウムドラムに３００ｍｍ／分の速度でコーティングし，７０℃で３０分間乾燥して厚さ約２μｍのアンダーコード層を形成した。
【００５５】
ミリングされたガンマ型チタニルフタロシアニン（γ−ＴｉＯＰｃ，Ｈ．Ｗ．Ｓａｎｄｓ社製，エタノール  １５．２３重量％）３ｇ，ポリビニルブチラル樹脂（ＢＸ−１，積水社製）２ｇをメチルエチルケトン８．３４ｇに添加して濾過（ポアサイズ＝５μｍ）した後，リングコーティング装置で３００ｍｍ／分の速度で前記製造したアンダーコード層にコーティングして７０℃で６０分間乾燥して厚さ約１μｍの感光層を形成して電荷発生層を完成した。
【００５６】
正孔輸送物質（ＭＰＣＴ  １０，三菱製紙社製）５０重量部，結合剤樹脂（ＰＣＺ２００，三菱化学社製）５０重量部を溶媒ＴＨＦ  ３３４重量部に構成物質を全て溶解させて，濾過（ポアサイズ＝５μｍ）した後，リングコーティング装置で前記電荷発生層上に３００ｍｍ／分の速度でコーティングし，８０℃で６０分間乾燥させて厚さ約１２μｍの正孔輸送層を形成して感光体を完成した。
【００５７】
（比較例１）
アンダーコード層を使用していないことを除いては実施例１と同じ方法で感光体を完成した。
【００５８】
（比較例２）
ポリアミド（Ａｍｉｌａｎ  Ｔｏｒａｙ社製，ＣＭ８０００）０．５ｇを２−クロロエタノール  ９．５ｇに溶解させ，濾過（ポアサイズ５μｍ）した後，リングコーティング装置でアルミニウムドラムに３００ｍｍ／分の速度でコーティングし，１２０℃で３０分間乾燥させて厚さ約２μｍのアンダーコード層を形成することを除いては実施例１と同じ方法で感光体を完成した。
【００５９】
（試験例）
実施例１，比較例１及び２で製造した感光体をＰＤＴ２０００（ＱＥＡ社製）を利用して８ｋＶ印加時の帯電電位Ｖ及び１μＪ／ｃｍ２のエネルギーで露光時に露光電位Ｖｒを第１のサイクル及び５００サイクル後に測定し，その結果は下記表１に表した。
2005023322.tif 000014
【００６０】
前記表でＶ０とＶ５００は初基及び５００サイクル後の帯電電位を表し，Ｖ０ｒとＶ５００ｒは初基及び５００サイクル後の露光電位を表す。
【００６１】
前記表１で分かるように，ポリアミドをアンダーコード層として有する比較例２より本発明による実施例１の減光体が，サイクリング後にも露光電位の上昇問題がないことが分かる。これは実施例１の場合，アンダーコード層が電子輸送体構造の高分子を含んで導電性支持体からの正孔流入を効果的に抑制できるためと考えられる。
【００６２】
図１は，導電性支持体４と感光層２及び前記導電性支持体４と感光層２間に置かれたアンダーコード層３を含む本発明の一具現例による電子写真感光体１を示したブロック図である。
【００６３】
図２は，本発明の選択された具現例による画像形成装置３０，電子写真ドラム２８及び電子写真カートリッジ２１を示した概略図である。電子写真カートリッジ２１は通常的に電子写真感光体２９及び前記電子写真感光体２９を帯電させる少なくとも１つの帯電装置２５，電子写真感光体２９上に形成された停電潜像を現像する現像装置２４，及び電子写真感光体２９表面を洗浄させる洗浄装置２６を含む。電子写真カートリッジ２１は画像形成装置３０に着脱自在であり，電子写真感光体２９は前述されている。
【００６４】
画像形成装置３０のための電子写真感光体ドラム２８，２９は電子写真装置３０に着脱可能であり，前記ドラム上に配置された電子写真感光体２９を含み，前記電子写真感光体２９は前述されている。
【００６５】
一般的に画像形成装置３０は感光体ユニット（例えば，電子写真感光体ドラム２８，２９），前記感光体ユニットを帯電させる帯電装置２５，帯電された感光体ユニットを画像によって光を照射させて感光体ユニット上に停電潜像を形成する画像による光照射装置２２，停電潜像をトナーで現像して前記感光体ユニット上にトナー画像を形成する現像装置２４及びトナー画像を紙Ｐのような受容材料上に転写する転写装置２７を含み，前記感光体ユニットは前述されている電子写真感光体２９を含む。帯電装置２５は帯電ユニットとして電圧を供給されて電子写真受容体と接触して帯電させうる。必要である場合，前記装置は次のサイクルを準備するために電子写真感光体の表面上の残留電荷を削除するための事前露光ユニット２３を含みうる。
【００６６】
電子写真画像形成装置３０は複数の支持ローラ２５，２７（示した具現例において支持ローラは帯電ドライブ２５及び転写装置２７である）を含む。電子写真感光体２９は支持ローラ２５，２７に連動されており，支持ローラ２５，２７の動作が電子写真感光体２９の動作を招くようになっている。
【００６７】
必要である場合，感光体はその上に保護層（図示せず）を有しうる。
【００６８】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【産業上の利用可能性】
【００６９】
本発明による感光体は導電性支持体からの正孔流入を最小化し，露光電位の上昇を抑制することによって電子写真画像形成装置に有用に使用できる。
【図面の簡単な説明】
【００７０】
【図１】本発明の一具現例による導電性支持体，感光層及び前記導電性支持体と感光層間に位置したアンダーコード層を含む電子写真感光体を示したブロック図である。
【図２】本発明の選択された具現例による画像形成装置，電子写真ドラム及び電子写真カートリッジの概略図である。
【符号の説明】
【００７１】
１    電子写真感光体
２        感光層
３        アンダーコート層
４        導電性支持体
【図１】
2005023322.tif 000028
【図２】
2005023322.tif 000029